(57)【特許請求の範囲】
【請求項１】
ブランケット絶縁留め具アッセンブリのための留め具スタッド（１０２、３００、４０２、５００、６００、７００、８００、８５０、９００）であって、
前記留め具スタッドはモノリシック金属ポスト部材（１０８、１２６、４０６、４０８、５０４、５０４Ａ、５０４Ｂ、５２４、８０６、８５６、９０２、９０４）とサポート部分（１０６、３０２、４１０、５０２、６０２、８０２、８５２）を含み、
前記ポスト部材はお互いから間隔を空けられた２つのサイド部分（１３０、１３２；５２８、５３０）を有し、
各サイド部分はブリッジ部分（１３４、４１２、５３２）によってサポート部分においてサポートされており、
各サイド部分は前記ブリッジ部分から離れるようにそれぞれのサイド方向に伸長し、それぞれのサイド部分のエッジ表面において複数の第一の保持表面（１４０、５４０、８５８）を含み、
各第一の保持表面はそれぞれのサイド方向にそれぞれのサイド部分の外向きに伸長し、一方のサイド部分上の各第一の保持表面（１４０、５４０、８５８）は他方のサイド部分上の対応する第一の保持表面（１４０、５４０、８５８）を有し、
前記サイド部分（１３０、１３２、５２８、５３０）は前記ポスト部材（１０８、１２６、４０６、４０８、５０４、５０４Ａ、５０４Ｂ、５２４、８０６、８５６、９０２、９０４）の中心軸に平行な縦の前から後ろへの平面について対称的であり、
前記ブリッジ部分（５３２）に複数の第二の保持表面（５５４、８１０、８６２、９０８）を含み、
少なくとも１つの第二の保持表面は、前記少なくとも１つの第二の保持表面と同じ平面において一対の前記第一の保持表面に対応し、
前記少なくとも１つの第二の保持表面は、前記第一の保持表面の平面に対して平行に延びる留め具スタッド。
【請求項２】
前記第一の保持表面（１４０、５４０、８５８）の１つは歯（１４４、５３８）であり、一方のサイド部分（１３０、１３２；５２８、５３０）は他方のサイド部分と同じ数の歯（１４４、５３８）を有する、請求項１の留め具スタッド。
【請求項３】
各第一の保持表面（１４０、５４０、８５８）は前記ポスト部材（１０８、１２６、４０６、４０８、５０４、５０４Ａ、５０４Ｂ、５２４、８０６、８５６、９０２、９０４）の中心軸に対して直角かつ平坦な表面（１４２、５４２）を有する、請求項１の留め具スタッド。
【請求項４】
サイド部分上の各第一の保持表面（１４０、５４０、８５８）は前記ポスト部材（１０８、１２６、４０６、４０８、５０４、５０４Ａ、５０４Ｂ、５２４、８０６、８５６、９０２、９０４）の中心軸に対して平行かつ真っ直ぐな表面（１４６、５４４）によって隣接する第一の保持表面（１４０、５４０、８５８）から間隔を空けられている、請求項１の留め具スタッド。
【請求項５】
前記真っ直ぐな表面（１４６、５４４）によって規定された間隔は等しい、請求項４記載の留め具スタッド。
【請求項６】
前記ブリッジ部分（５３２）は、前記第一の保持表面（５４０）から間隔を空けられた第二の保持表面（５５４、８６０）を含み、
前記第二の保持表面（５５４）は前記ブリッジ部分（５３２）の表面から前記第一の保持表面の方向と反対の方向に伸長している突起（５４０、８５８）である、請求項１の留め具スタッド。
【請求項７】
前記突起は前記ブリッジ部分（５３２）から間隔を空けられた平坦な表面（５５４、８６０）を含む、請求項６の留め具スタッド。
【請求項８】
前記突起の平坦な表面（５５４）は前記第一の保持表面（５４０、８５８）の平坦な表面（５４２）と同じ平面（５５０）内にある、請求項７の留め具スタッド。
【請求項９】
前記第一および第二の保持表面は前記ポスト部材（５０４、５０４Ａ、５０４Ｂ、５２４、８５６、９０２、９０４）の中心軸に対して１２０°お互いから離れている、請求項６の留め具スタッド。
【請求項１０】
前記第二の保持表面（８６０）は真っ直ぐかつ横向きの壁（８１０、９０８）と湾曲した壁（８１２、９１０）を有する開口部（８０８、９０６）である、請求項６の留め具スタッド。
【請求項１１】
前記サポート部分（１０６、３０２、５０２、６０２、８０２、８５２）は前記ポスト部材（１０８、１２６、５０４、５２４、８０６、８５６）に対して直角に伸長する平坦な周辺部分（３０４）を有する、請求項１の留め具スタッド。
【請求項１２】
前記サポート部分（１０６、３０２）は平坦部分と前記ポスト部材（１０８、５０４、５２４）から離れるように伸長していてその下に横たわるサポート構造に圧力を印加するためのバイアス部分を提供することができる角度付き部分（３１２、３１４）を含む、請求項１１の留め具スタッド。
【請求項１３】
前記サポート部分（４１０）は、別のポスト部材（４０８）と一体に形成され、複数の前記ポスト部材（４０６、４０８；５０４Ａ，５０４Ｂ；９０２、９０４）上の前記ブリッジ部分（１３４）と共に伸長するブリッジ部分（４１２）を含むサポートインターフェースである、請求項１の留め具スタッド。
【請求項１４】
留め具アッセンブリ（４０４）であって、
請求項１３の留め具スタッドとスリーブを含み、
前記スリーブは、第一および第二のスリーブ端の間の前記スリーブの外側表面に形成された環状溝と前記溝内の複数の柔軟なリングとを有する弾性的に柔軟なスリーブである留め具アッセンブリ（４０４）。
【請求項１５】
留め具アッセンブリ（１００）であって、
請求項１または１３の留め具スタッドとディスク（１０４）を含み、
前記ディスク（１０４）は、その内にポスト部材（１０８、１２６、４０６、４０８、５０４、５０４Ａ、５０４Ｂ、５２４、８０６、８５６、９０２、９０４）が受け取られ得る前記ディスクの第一のサイドから前記ディスクの第二のサイドまでの開口部（２０２）を規定する壁（２００）を有する平面状部分を含み、
前記ディスク（１０４）は、前記ディスクの最も外側の周縁が前記ディスクの中央部分と前記ディスクのエッジとの折り目となるように構成された圧延されたエッジ（２１２）を有する自由な周縁を含む留め具アッセンブリ（１００）。
【請求項１６】
前記開口部を規定する前記壁は円形の開口（２０２）と前記円形の開口（２０２）から伸長している放射セグメントを規定する複数の開口部（２０４）を含む、請求項１５の留め具アッセンブリ（１００）。
【請求項１７】
前記ディスク（１０４）は非平面状の突起（２１４）を含む、請求項１５の留め具アッセンブリ（１００）。
【請求項１８】
前記突起（２１４）の少なくとも１つは他の突起とは反対の方向に伸長する、請求項１７の留め具アッセンブリ（１００）。
【発明の詳細な説明】
【技術分野】
【０００１】
これらの発明は、例えば絶縁ブランケット留め具、航空機用絶縁ブランケット留め具を含んだライニング留め具に関し、例えばライニング留め具を作成し使用する装置と方法を含む。
【背景技術】
【０００２】
多くの航空機において、胴体、搭乗者エリアおよび／または貨物エリアのような機体部分は、絶縁パネルおよび／またはブランケットによってライニングされる。パネルは、ビーム、ストリンガー、フレーム等のような胴体構造にリベット留めされたか、接着されたか、あるいはそうでなければ固定された複数の留め具アッセンブリであるべき場所に保持される。例示的留め具アッセンブリは、ナイロンまたはその他のプラスチック材料から鋳造され、典型的にはディスクと、ベース部分とバーブを有する留め具スタッドを含み、ここでバーブは例えばブランケットに穴を開けるのに使われ得る。バーブは典型的には、バーブの上に渡って置かれたディスク中の開口部と係合するための複数の円周リッジまたはキャッチを含む。複数のリッジは、ディスクが絶縁パネルの厚さの関数としてバーブに沿った多数の軸方向位置の１つに置かれるようになることを許容する。例えば、バーブ上の与えられたリッジを過ぎてバーブ上にディスクを押し付けることは、絶縁パネルをあるべき場所に保持する役目を果たし得るが、ディスクを絶縁パネルに対して更に押し付けることは、ディスクをバーブに沿って、絶縁パネルをあるべき場所に保持するための別の更なるリッジの下で、更に動かし得る。
【０００３】
留め具スタッドは、ストリンガー上、フレームスタッド上等の胴体の部分上のベース部分からサポートされることができる。ベース部分の構成は、その下に横たわるサポート構造のプロファイルを収容するように全体的に形成される。
【発明の概要】
【０００４】
例えば航空機用のブランケット絶縁のための、留め具アッセンブリ、および留め具アッセンブリのための留め具とディスクは、劣悪な条件下においてさえ、より信頼性をもって、より容易に、より長い寿命でもって作成されることができる。そのような装置のいくつかの例では、留め具および／またはディスクは、各々がモノリシック金属構造として形成され得て、各々が従来の構造と同じように容易に設置され得る、金属から形成されることができる。そのような構造のいくつかの例がここに記載され、そのような例示的構造を製造して使用する方法の例も記載される。
【０００５】
一つの例では、留め具スタッド、例えばブランケット絶縁留め具アッセンブリのためのものは、ポスト部材のような線形部材と線形部材をその下に横たわるサポート上にサポートするためのサポート構造を有する金属留め具部材である。一つの例では、線形部材は第一および第二のサイド部分を含み、その少なくとも１つは線形部材に沿って線形的に配置された複数の保持部材を有する。保持部材は、ブランケットまたはその他の構造をあるべき場所に保持することを補助するためのディスク、プレートまたはその他の構造を保持し得る。他の例では、保持部材は、ディスクまたはその他の構造の線形部材上でのサポート構造から離れるような動きを信頼性をもって制限するように構成されることができるストップ表面、取っ手、フランジ、肩表面、歯、キャッチまたはその他の構造であっても良い。更なる例では、両方のサイド部分が保持部材を含み、別の例では、各サイド部分がサポート表面から与えられた距離において保持部材を含む。別の例では、少なくとも１つのサイド部分が少なくとももう１つのサイド部分と同じだけ多くの保持部材を有し、更なる例では同じ数を有する。保持部材の一つの例では、少なくとも１つがサポート表面の部分または線形部材をサポートしているベースの部分に実質的に平行で実質的に平坦な表面を含む。別の例では、保持部材は留め具のベースから離れるように平坦な表面から伸長している傾斜表面を有し、更なる例では、各保持部材は隣接する保持部材から間隔を空けられている。
【０００６】
留め具部材の多くの例、例えばブランケット絶縁留め具アッセンブリのためのものでは、留め具部材は実質的に平坦な周縁部分を有するベースを含む。そのような留め具部材の別の例では、ベースはベースの周縁部分と留め具の線形部材の間の持ち上げまたは立ち上がり部分を含んでも良い。別の例では、ベースは線形サポート部分と、ベースをサポートするためおよびサポート構造、例えばストリンガー、Ｉビーム、Ｔビーム、Ｌビームまたはその他の係合可能なプロファイルのようなサポート構造に対してベースの動きを制限するための角度付きまたはクリップ部分を含んでも良い。更なる例では、留め具部材は、サポートが線形部材上のスリーブまたはボスであり、スリーブまたはボスがサポート構造を係合するように構成されたところの線形部材であっても良い。線形部材が例えば通しスタッドである場合には、サポートは、例えば留め具とスリーブがストリンガーまたは構造的ビーム中にまたはそれを通して挿入された時のようにサポート構造を係合するための、スタッドの一部の周りのスリーブまたはグロメットであることができる。通しスタッドまたはその他の線形構造は、その上にスリーブが載るところの半円形または完全に円形のインターフェース構造を有することができる。
【０００７】
留め具部材の多くの例、例えばブランケット絶縁留め具アッセンブリのためのものでは、留め具部材は、ポスト部材、スタッド部材、線形部材またはその他の軸方向に伸長している構造のような実質的にＵ字形状の部材を有する線形部材を含んでも良い。更なる例では、留め具部材は、Ｕ字形状部材エッジ表面から伸長し得るような、歯またはここに記載されるもののようなその他の保持構造を含んでも良い。歯またはその他の構造は、湾曲したブリッジ部分によってサポートされても良く、一つの例では、湾曲したブリッジ部分は実質的に半円形であっても良い。ブリッジ部分または保持部材の間のその他の構造は、留め具アッセンブリのためのディスクまたはその他の保持部材を保持すること助けるための１つ以上のそれ自身の部材を含んでも良い。例えば、ブリッジ部分は、ブリッジ部分の一部を形成している材料を穴抜きすることによって作り出され得るような、ブリッジ部分の外側表面から伸長している歯またはその他の突起を含んでも良い。いくつかの例では、ブリッジ部分は、線形部材のその他の表面の各々上の歯（またはその他の突起）の数と同じ数の歯（またはその他の突起）を有することができ、その他の例では、ブジッリ部分は軸方向に伸長している構造上の保持部材のみを有しても良く、それらは構造に沿って軸方向に位置していても良い。歯のような複数の保持部材が軸方向に与えられた位置に置かれているいくつかの例では、線形部材上の与えられた軸方向位置または高さにおける歯またはその他の突起の各々は、隣接する歯から、近似的に１２０°で、または例えば等距離で、位置させられることができる。
【０００８】
多くの例では、ブランケット絶縁留め具アッセンブリのような留め具スタッドは、モノリシック構造として形成され得る。例えば、それらは容易に金属薄板から打抜きまたは切断されて所望の形状に形成され得る。最終構造は、期待された動作条件下で顕著な強度と信頼性を有し、製造するのが比較的容易である。多くの留め具スタッド構成をこのやり方で形成することができる。
【０００９】
別の例では、留め具スタッド、例えばブランケット絶縁留め具アッセンブリのためのものは、ベースとポスト部材を有するモノリシック金属留め具スタッドとして形成される。ポスト部材は、お互いから間隔を空けられ、絶縁保持部材、例えば保持ディスクをあるべき場所に保持するためのそれぞれのストップまたは保持表面を有した、第一および第二のサイド部分を含む。一つの構成では、ポスト部材の第一のサイド上の各ストップは、第二のサイド部分上に対応するストップを含み、対応するストップはベースの表面から実質的に等距離にある。そのような構成では、留め具スタッド上に保持されたディスクは、ベースと近似的に平行に位置させられることができる。
【００１０】
更なる例では、留め具スタッド、例えばブランケット絶縁留め具アッセンブリのためのものは、ポスト部材の露出されたエッジ表面上の絶縁保持部材のためのストップまたは保持表面の第一および第二のセットと、第一および第二のセットの中間にある追加のストップまたは保持表面を有するポスト部材と共に形成されることができる。例えば、ストップの第一および第二のセットは、Ｕ字形状のポスト部材の露出されたエッジ表面上にあっても良く、追加のストップは、Ｕ字形状のポスト部材の湾曲した部分上に置かれても良い。一つの構成では、ストップの対応するセットが、ポスト部材に沿った同じ軸方向位置におけるそれぞれの表面上に形成される。別の構成では、ストップの対応するセットは、例えばポスト部材の軸に実質的に平行な方向に面している対応するストップ表面を含んでも良く、またそのようなストップ表面は平坦でも良く、またはディスクのようなブランケット絶縁保持部材の表面に適合するようなその他の構成を取っても良い。一つの例示的構成では、ストップ表面は、傾斜表面または斜面を有する背面構造によってサポートされており、ディスクのようなブランケット絶縁保持部材がポスト部材に沿って動くことをより容易にしている。
【００１１】
ここでの例のいくつかにおける留め具スタッド、例えばブランケット絶縁留め具アッセンブリ用のものは、ベースを形成するためのセクションと伸長部を形成するためのセクションを有する平面状部分を形成するように金属薄板を切断または打抜きすることによって形成されても良い。ベースは実質的に平坦に維持されても良く、または非平坦なサポート構造上にサポートされるための別のプロファイルを有するように形成されても良い。例えば、ベースはストリンガー上に渡ってフィットするためのクリップ配置に形成されても良い。伸長部は、絶縁ブランケット保持部材、例えばディスクを保持するのに使われ得るような複数の収束するセグメントをもった２つのサイドを有するように、折り曲げまたは圧延することによって形成されても良い。伸長部はまた、直角または別の角度でのように、ベースに対して角度をもって伸長するように、および２つのサイド上の収束するセグメントが少なくとも部分的に同じ方向に面するように伸長部分を湾曲させて、形成されても良い。一つの例では、伸長部の露出されたエッジ表面上の収束するセグメントは全て同じ方向に面し、別の例では、収束するセグメントの各々はベースに向かって面している比較的平坦な表面を含む。別の例では、伸長部は絶縁ブランケット保持部材を保持するのに使われ得るような追加のセグメントを含むように打抜きまたは切断され、そのような追加のセグメントは、伸長部の露出されたエッジ表面を橋渡しする伸長部上のブリッジ部分に切断されても良く、またはブリッジ部分部材だけが伸長部上の保持部材であっても良い。少なくとも１つの例では、収束するセグメントは、各セグメントが、例えば留め具スタッドのベースに面している平坦な表面部分と、平坦な表面部分から離れるように伸長している、傾けられたまたは傾斜表面部分を含むように、切断されても良い。隣接する収束するセグメントは一定の距離でお互いから間隔を空けられていても良い。
【００１２】
留め具アッセンブリのための、例えばブランケット絶縁留め具アッセンブリのための部品の更なる例では、平面状部材、例えばディスクが、部材を通した開口部と平面状部材の最も外側の範囲における自由な周縁をもって設けられる。周縁は、平面状部材の最も外側の周縁が、例えば平面状部材の中央部分とエッジの間の折り畳みであるように、構成された圧延されたエッジである。一つの例では、圧延されたエッジは湾曲された外側周縁表面を有し、別の例では圧延されたエッジは、平面状部材の周縁の或る放射状範囲について平面状材料の２倍の厚みを形成する。別の例では、圧延されたエッジは、平面状体の下に横たわる表面に対して押し付けられた材料の、連続的で、放射状に内向きの折り畳みである。平面状部材が金属薄板から形成される場合には、例えば、圧延されたエッジは、鋭いエッジがユーザに露出されることの可能性を低減することを助ける。ディスクの例では、平面状部材は実質的に円形で、圧延されたエッジは、周縁において厚みの層を追加する環状リングを形成する。ブランケット絶縁留め具アッセンブリのための保持部材の例では、平面状部材はディスクであっても良く、円形の開口をもった開口部を含み、中心から放射状に伸長している複数の開口部セグメントを含んでも良い。
【００１３】
留め具アッセンブリのための、例えばブランケット絶縁留め具アッセンブリのための部品の別の例では、平面状部材は、平面状部材の１つ以上の表面から伸長している１つ以上の非平面状突起を含む。突起は、ディンプル、リッジ、ライン、バルジまたはその他の突起であることができ、突起は平面状部材の２つ以上の表面から伸長することができる。多数の突起の例では、突起は平面状部材上に渡って均等に分布しており、それらは平面状部材の周縁の近くに置かれることができ、またはそれらは隣接するものからと平面状部材の周縁から等距離に置かれることができる。多くのその他の平面状部材とのバッチプロセス中に平面状部材が液体またはスプレー材料で被覆される場合には、突起は平面状部材の均等な被覆を増加させると共に多数の部材がひっついたり繋がったりする可能性を削減することを助ける。１つまたは複数の突起の位置付けは、隣接する平面状部材の平面状表面がお互いに接触する可能性を低減することと、また突起が部品を弱くするあらゆる可能性を低減することとに部分的に基づいていても良い。一つの例では、留め具アッセンブリのための平面状部材上の突起は、平面状部材の周縁の近くに位置させられ、平面状部材を通して線形開口と揃えられても良い。
【００１４】
留め具アッセンブリのための、例えばブランケット絶縁留め具アッセンブリのための部品の更なる例では、インターフェース部材、例えばグロメットが、パネルまたはその他の構造、例えばビーム、胴体またはその他の航空機構造中の開口部内に線形ポストを位置付けする。インターフェース部材は、与えられたインターフェース部材構成が多数の異なる構造構成中で使われることができるように、異なるパネルの厚さを収容するための構造を含んでいても良い。インターフェース部材は、例えば一つのインターフェース部材構成で複数のパネル幅を収容するために、インターフェース部材の周縁表面から伸長している柔軟なフィン、ポストまたはその他の柔軟な突状を含んでいても良い。柔軟な突状はまた、インターフェース部材をそのパネルに対してよりしっかりと位置させることも助ける。
【００１５】
これらおよびその他の例は、その簡単な説明がここに続く図面との関係で、以下により十分に説明される。
【図面の簡単な説明】
【００１６】
【図１】図１は、ここに開示された一例に従ってあるべき場所にある留め具アッセンブリの概略的側面図である。
【図２】図２は、図１に使われたもののような留め具アッセンブリの等角図である。
【図３】図３は、図２の留め具アッセンブリでの使用のための留め具部材の上後方等角図である。
【図４】図４は、図３の留め具部材の上平面図である。
【図５】図５は、図３の留め具部材の正面図である。
【図６】図６は、図５のライン６−６に沿って取られた図３の留め具部材の垂直縦断面図である。
【図７】図７は、図６の留め具部材の詳細断面図である。
【図８】図８は、図３の留め具部材の右側面図である。
【図９】図９は、図２の留め具アッセンブリでの、またはここに開示されたその他の留め具部材のいずれかとの使用のための、保持ディスクの形の留め具部材の上方等角図である。
【図１０】図１０は、図９の留め具ディスクの上平面図である。
【図１１】図１１は、図９のディスクの側面図である。
【図１２】図１２は、ライン１２−１２に沿って取られた図１０のディスクの横垂直断面図である。
【図１３】図１３は、図１２の一部の詳細断面図である。
【図１４】図１４は、図１０のディスクを作成するのに使われ得るようなディスクのためのブランクの上平面図であり、折り畳まれたエッジを作成するのに折り曲げが発生し得るところのリングを示している。
【図１５】図１５は、ここに開示された別の例に従った、例えば絶縁ブランケットと留め具アッセンブリとの使用のための、留め具部材の左上方等角図である。
【図１６】図１６は、図１５の留め具部材の正面図である。
【図１７】図１７は、図１５の留め具部材の上平面図である。
【図１８】図１８は、図１５の留め具部材の右側面図である。
【図１９】図１９は、ここに開示された別の例に従った留め具アッセンブリの等角図である。
【図２０】図２０は、図１９のアッセンブリで使われた留め具スタッドのような留め具部材の上平面図である。
【図２１】図２１は、図２０の留め具部材の下方等角図である。
【図２２】図２２は、図２０の留め具部材の上方等角図である。
【図２３】図２３は、図２０の留め具部材の側面図である。
【図２４】図２４は、ライン２４−２４に沿って取られた図２０の留め具部材の横断面図である。
【図２５】図２５は、グロメットの形の図１９の留め具アッセンブリとの使用のための留め具部材の上方等角図である。
【図２６】図２６は、図２５のグロメットの側面図である。
【図２７】図２７は、図２５のグロメットの左側面図である。
【図２８】図２８は、図２７のライン２８−２８に沿って取られた図２５のグロメットの縦垂直断面図である。
【図２９】図２９は、グロメットとパネルの相互フィッティングを描写する目的のパネルとグロメットの上平面図である。
【図３０】図３０は、ライン３０−３０に沿って取られた図２９に示されたパネルとグロメットの組み合わせの断面図である。
【図３１】図３１は、形成前のブランクから切断された留め具部材の上平面図である。
【図３２】図３２は、形成前のブランクから切断された留め具部材の別の例の上平面図である。
【図３３】図３３は、形成前のブランクからの留め具部材の別の例の上平面図である。
【図３４】図３４は、図２に示されたアッセンブリに匹敵し図１５に示されたものの代替形である留め具アッセンブリでの使用のための、留め具部材の別の例の上方等角図である。
【図３５】図３５は、図３４の留め具部材の右側面図である。
【図３６】図３６は、図３４の留め具部材の正面図である。
【図３７】図３７は、図３６のライン３７−３７に沿って取られた図３４の留め具部材の垂直縦断面図である。
【図３８】図３８は、図３７に示された留め具部材の一部の詳細断面図である。
【図３９】図３９は、図３４の留め具部材の上平面図である。
【図４０】図４０は、図３４の留め具部材の下平面図である。
【図４１】図４１は、図３４の留め具部材の後方図である。
【図４２】図４２は、図３４の留め具部材の下後方等角図である。
【図４３】図４３は、図２に示されたアッセンブリに匹敵し図３に示されたものの代替形である留め具アッセンブリでの使用のための、留め具部材の別の例の側面図である。
【図４４】図４４は、図４３の留め具部材の左後方等角図である。
【図４５】図４５は、図１９に示された留め具スタッドに匹敵しその代替形である留め具アッセンブリでの使用のための、留め具部材の別の例の側面図である。
【図４６】図４６は、図４５の留め具部材の下方等角図である。
【図４７】図４７は、形成前のブランクから切断された図３１のものと類似した別の留め具部材の上平面図であり、代替的保持部材構成を示している。
【図４８】図４８は、図１−８のものと類似した搭載配置と図３４−４２のものと類似した伸長部分構成を有するが伸長部分上の保持部材について代替的構成を有する、留め具スタッドの側面図である。
【図４９】図４９は、図４８の留め具スタッドの上方等角図である。
【図５０】図５０は、図１９−３０および４５−４６に示されたタイプの通し留め具スタッドだが保持部材について代替的構成を示しているものの正面図である。
【図５１】図５１は、図５０の通し留め具スタッドの側面図である。
【図５２】図５２は、図５０の通し留め具スタッドの等角図である。
【発明を実施するための形態】
【００１７】
この明細書は図面との関係で、本発明の１つ以上の側面を組み込んだ装置および方法の例を、あらゆる当業者が発明を実施し使用することができるようなやり方で説明する。例は発明を行うために想到された最善のモードを提供するが、本発明のパラメータ内で様々な変形を達成することができることは理解されるべきである。
【００１８】
留め具アッセンブリおよび留め具アッセンブリを作成して使用する方法の例が記載される。与えられた構造または与えられた方法のどの１つまたは複数の特徴が組み込まれるかに依存して、構造または方法において恩恵を達成することができる。例えば、形成された金属を使った留め具アッセンブリは、期待された動作条件下で向上を示し得る。それらはまた、より長い期待される寿命も実証し得る。
【００１９】
開示された方法の１つ以上に従って作成された留め具アッセンブリはまた、同様の材料を使ったその他の方法よりも作成するのが容易であり得る。それらはまた、使用するのがより容易であり得て、例えば、留め具アッセンブリの部品の１つ以上はルーティンのメインテナンスの後に廃棄されるのではなく再使用される可能性があり得る。
【００２０】
ここに開示された１つ以上の留め具アッセンブリのいくつかの構成では、向上はアッセンブリにおいても達成されることができ、いくつかの構成では、いくつかの留め具アッセンブリの多数の構成を提供するのに比較的少数の部品が使われることができる。
【００２１】
これらおよびその他の恩恵は、ここでの例の記載を考慮することによってより明らかとなるであろう。しかしながら、それらの例によって想到された１つ以上の恩恵を達成するために、特定の例に対して説明される恩恵または特徴の全てがツール、部品または方法に組み込まれなければならないわけではないことは理解されるべきである。加えて、その他の可能な構成と比較して恩恵が最適ではないかもしれないとしても、与えられた恩恵のいくらかを達成するために、例の特徴がツール、部品または方法に組み込まれることができることは理解されるべきである。例えば、１つ以上の恩恵は、コスト削減、効率化、または特定の製品構成また方法で妥協する人に知られているその他の理由を達成するために、与えられた構成について最適ではないかもしれない。
【００２２】
多数の留め具アッセンブリまたは留め具部材構成および留め具アッセンブリまたは留め具部材を作成して使用する方法の例がここに記載され、いくつかは一緒に使用されることによって特定の恩恵を有する。しかしながら、それらの装置および方法はこの時点で一緒に考察されるものの、それらが組み合わされること、一緒に使用されること、または一つの部品または方法があらゆるその他の部品または方法あるいは組み合わせと共に使用されることは要求されていない。加えて、与えられた部品または方法は、所望の結果を依然として達成しながら、ここに明記して説明されていないその他の構造または方法と組み合わされることができることが理解されるであろう。
【００２３】
絶縁ブランケット留め具の使用に特定の応用を有し得る留め具アッセンブリが記載され、それらの応用で使用された時にそれらはここに記載された特徴の１つ以上を組み込み恩恵のいくつかを導き出すことができる。しかしながら、絶縁ブランケット留め具のためのいくつかの応用のみが記載される。絶縁ブランケット留め具のため以外の留め具アッセンブリは、本発明の１つ以上から恩恵を受けることができる。
【００２４】
なお、前、後、サイド、左と右、上と下等のような向きについて使用される用語は、ここでは理解の容易さと参照のためだけに使用されており、記載され描写されている構造についての排他的な用語として使用されているのではないことが理解されるべきである。
【００２５】
絶縁ブランケット留め具として使用されることができるもののようなライニング留め具は、多数の応用を有するが、留め具アッセンブリの本例は、航空機上で使われるもののような絶縁ブランケットの文脈で記載される。ここに記載される留め具アッセンブリはまた、その他の構造上で使われても良く、その他の構造または材料を確保または保持しても良いことが理解されるべきである。留め具アッセンブリの一つの例では、留め具アッセンブリ１００（図１−１４）は、設計者によって選択された好適なサポート表面９８上にサポートされ、それはサポート構造９６の一部である。サポート構造９６は、それについて絶縁ブランケットがサポートされるものとして、航空機の文脈では、胴体、ビーム、ストリンガーまたはその他の構造であっても良い。ここに記載される留め具アッセンブリの例の全てにおいて、留め具アッセンブリは構造上にサポートされる。構造は多数の形、プロファイルまたは構成を取り得て、留め具アッセンブリデザインはサポート構造の特定の表面構成を収容するように構成されても良い。当業者は例を検討した後で、本発明の例が、発明の特徴の１つ以上を依然として採用しながらどのようにここに記載されたもの以外の構造をサポートするように適応されることができるかを理解するであろう。
【００２６】
図１に示された例では、サポート構造は比較的平坦であるものとして示され、留め具アッセンブリ１００はそれに従って構成されている。留め具アッセンブリは、接着剤、リベットまたはその他の留め具、留め具アッセンブリの隣接する部分をサポート表面にしっかりと取り付けるためのクリップまたはその他の手段によって、サポート表面９８上にサポートされている。ここに記載される留め具アッセンブリ構成の全ては、望まれる通りに適当なサポート表面にしっかり取り付けられることについてのユーザの指定にカスタム化または改訂されることができる。
【００２７】
留め具アッセンブリ１００は、絶縁ブランケット９４（図１）のようなライニングをしっかり取り付けて位置付ける。ここに注記されるように、ここに例として記載される留め具アッセンブリは、多数の構造をしっかり取り付けてサポートするのに使用または変形されることができる。
【００２８】
ここに記載される留め具アッセンブリは、留め具スタッドと、ライナーまたはブランケット保持部材を含み、ここに記載される例は一緒に使用されている２つの部材を有するが、部材の一方または他方はまた、アッセンブリとしてその他の構造と共に使われても良い。図１−１４に示された例では、留め具アッセンブリ１００は、留め具スタッド１０２（本例の図１−８）と、保持部材１０４（本例の図１−２および９−１３）を含む。いくつかの構成を有したいくつかの留め具スタッドがここに記載され、それらの例のそのような留め具スタッドの例の全てはここに記載される保持部材１０４と共に使われるが、留め具アッセンブリを形成するのにその他の保持部材が留め具スタッドと共に使われることができることは理解されるべきである。ここに記載される留め具スタッドを使った留め具アッセンブリは、図１に対してここで記載されるようなやり方で、ライニングまたは絶縁ブランケットをしっかり取り付けて位置付けするのに使われることができる。
【００２９】
本例では、留め具スタッド１０２は、留め具スタッドと従って留め具アッセンブリを、サポート表面上にサポートするためのサポート部分１０６を含む。留め具スタッド１０２はまた、その周りに絶縁ブランケットが伸長しそれに沿って保持部材１０４が動いて絶縁ブランケットを保持するようにあるべき場所に留められることができるところの、サポート部分１０６によってサポートされた伸長部１０８を含む。本例では、サポート部分１０６は実質的に平面状であり、伸長部１０８はサポート部分に実質的に直角に伸長する。しかしながら、伸長部１０８は、サポート部分に直角以外の方向に伸長することができることは理解されるものとする。加えて、ここに記載される伸長部のいずれもが、そのそれぞれのサポート部分に直角以外でサポートされることができる。更には、伸長部構成のいずれもが、ここに記載されるサポートのいずれかと共に使われるように構成されることができる。本例を含んだここに記載される留め具スタッドの例では、留め具スタッドは金属薄板から形成される。
【００３０】
留め具スタッドのサポート部分１０６（図２−８）は、パネルの中心に対して約３１５°の角度を通して伸長している周縁部分１１２を有する部分的に円形のパネル１１０として形成される。パネルの円形部分は、直径（図示せず）に実質的に直角にパネルから外向きに伸長している第一および第二の切断表面１１４および１１６（図４）で終端する。切断表面１１４および１１６は、伸長部１０８がパネル１１０と同じ材料のシートまたは部分から形成されることを許容し、それにより留め具スタッドがモノリシック部品として、例えば留め具スタッドを形成するように２つの別々の部分を溶接、接合またはそうでなければ一緒にすること無しに、形成されることを許容する。切断表面１１４および１１６は、それぞれのひずみ解放部分１１８および１２０において終端する。
【００３１】
パネル１１０は、留め具スタッドをそのサポート表面に搭載するかまたは保持するのを助けるための１つ以上の構造を含んでも良い。図２−８に示された例では、パネル１１０は、留め具スタッドをサポート構造上にしっかり取り付けるのを助けるのに使われることができる第一および第二の開口部１２２および１２４を含む。本例における開口部は、パネル１１０が一部であるところの円の直径上に形成される。（例えば、図３１参照。）開口部１２２および１２４は、留め具スタッドをサポート表面に搭載するためのリベットまたはその他の機械的留め具を受け取ることができる。開口部はまた、あるいはその代わりに、留め具スタッドをあるべき場所に保持するための接着剤またはその他の接着材料を受け取っても良い。パネル１１０はまた、例えば接着剤を通して、留め具スタッドをサポート表面にしっかり取り付けるのを助けるために、粗くされた底部表面を含んでも良い。パネル１１０はまた、例えばサポート表面が相補的な曲げまたはその他の表面を有する場合に、サポート表面により緊密に適合するための曲げ、穴抜きまたはその他の形成プロセスを通してのように、形成されても良い。パネル１１０は、留め具スタッドをサポート表面上によりしっかりとサポートするために、その他の構成を取っても良い。
【００３２】
留め具スタッドの伸長部分１０８は、パネル１１０と一体に形成され、限定としてではないが本例では、パネルの上面から実質的に直角に伸長する（図２−８）。伸長部分１０８は、パネルに直角な実質的に直線状のポスト１２６として形成される。ポスト１２６は、曲げまたは形成プロセス中に形成された彎曲部分１２８を通してパネルに接合し、それから、それぞれ第一および第二の、または図５に見られるように左および右の、サイド部分１３０および１３２をもってパネル１１０に実質的に直角に伸長する。サイド部分は、彎曲部分１２８によって下から、およびブリッジまたは接続部分１３４によって図４で上から見られるように後ろから、サポートされる。ブリッジ部分は、彎曲部分１２８によって下からサポートされ、本例では実質的に半円形に彎曲されている。半円形のブリッジ形状は、例えば曲げ、サイド（例えば伸長部１０８に直角の）衝撃等に対する強度を伸長部１０８に提供するのを助ける。ブリッジ形状は、その他の構成を有することもできるが、以下でより詳しく記載されるように、半円形の外側表面形状を有することは保持部１０４をその対応する円形開口部を通してガイドすることを助ける。
【００３３】
ポスト１２６は、ポストの端部を形成している実質的に平坦な端部表面１３６を含み、ブリッジおよびポストの残りの壁の厚さは実質的に一定である。平坦な端部表面１３６は、本例ではブリッジ部分の端部と第一および第二のサイドのサポート部分の始まりとして同定されるであろう端部１３８において終端する。
【００３４】
本例では、第一および第二のサイドは、保持部材１０４をポスト１２６上のあるべき場所に保持することを助けるための複数の保持表面１４０を含む。ここに記載される例の各々における保持表面の構造は実質的に同じであり、比較的平坦で、下向きに面している表面１４２（図７）を一般に含む。全体的に垂直な平面状のベース１１０を有する留め具アッセンブリ１００の完全な組み立てでは、表面１４２は平面状のベース１１０と実質的に平行になるように選択され、それはまた保持部材１０４の平面に実質的に平行であり、それは一方で留め具アッセンブリによってあるべき場所に保持されている絶縁ブランケットに全体的に平行であっても良い。しかしながら、保持部材１０４をポスト１２６上のあるべき場所に適切に保持するのを助けるために、その他の保持表面構成が使われることができることは理解されるべきである。保持表面１４０は、保持部材１０４の引き出しを禁じるためのフランジ部材、取っ手またはその他の突起として形成されることができる。
【００３５】
ここに記載される留め具アッセンブリのいくつかの例（図１−３０）では、保持表面１４０は、三角形状の歯１４４（図７）の部分として形成される。保持表面１４０は、垂直表面１４６に直角に伸長しポストの中心軸に実質的に平行に伸長している直角三角形の一部分を形成する。保持表面１４０と垂直平面１４６の継続が直角三角形の垂直な辺を形成し、その斜辺は隣接する垂直表面１４６から外向きに下向きに伸長している角度付き表面１４８である。もし保持表面１４０が三角形の辺を形成しなければ、表面１４６は、それぞれの保持表面とポストの残りの間の傾いた表面、斜面、傾斜表面、カム表面または別の遷移表面であることができる。本例では、角度付き表面１４８は、丸み付きコーナー１５０を通して保持表面１４２において終端する。角度付き表面１４８は、パネル１１０に向けてポストに沿って軸方向に保持部材１０４をガイドすることを助け、丸み付きコーナー１５０は、例えばメインテナンスのための、保持部材１０４の手動による除去をより容易にする。三角形状の歯の材料は、第一および第二のサイドウォールのサポート部分上の保持表面１４２のための構造的サポートを提供する。歯の厚さは、その下に横たわるサポート構造とブリッジ部分の厚さと同じになるように選択される。
【００３６】
歯は、例えば全てが同じ材料のシートから形成され留め具スタッドがモノリシックであるので、歯と連続しブリッジ１３４と連続したその下に横たわるサポート構造上にサポートされる。その下に横たわるサポート構造は、垂直表面１４６で始まり、例えばブリッジ部分の端部１３８から下向きに伸長している垂直ラインにおいてブリッジ構造１３４に出会うまで続くと考えられても良い。図２と６に示されるように、各最も上の歯１４４は、上部角度付き表面１５２と連続した角度付き表面１４８を有する。上部角度付き表面１５２は歯が終わるところで始まり、ブリッジ部分のそれぞれの端部１３８におけるもう1つの端部において終端する。上部角度付き表面１５２は、一旦保持部材１０４がポストの端部上に渡って置かれると、保持部材１０４をポストに沿ってガイドするのを助ける。上部角度付き表面１５２はその他の構成を取ることもできる。
【００３７】
各歯１４４は、垂直表面１４６のそれぞれの部分によって隣接する歯から間隔を空けられている。本例における垂直表面１４６の各々は、垂直に隣接する歯が近似的に同じ距離でお互いから間隔を空けられる（同じピッチを有する）ように、実質的に等しい長さを有する。各垂直表面１４６の垂直長は、保持部材がポストの周りに伸長する所で保持部材１０４の厚さよりも大きくなるように選択される。保持部材のコアの厚さがおよそ０．２５ｍｍ（０．００９８インチ）である一つの例では、与えられた垂直表面１４６の高さはおよそ２．８ｍｍ（０．１１０２インチ）またはおよそ保持部材の厚さの１０倍であっても良い。その他の例では、保持部材は、垂直表面１４６の高さの１０％と５０％の間になるように選択されることができる。その他の相対的寸法が使われることもできる。加えて、垂直表面によって規定される間隔、または隣接する歯の中心から中心までの距離は、与えられた留め具上で変動することができるが、周縁の周りに配置された歯は好ましくはお互いに対して同じ軸方向位置のまま残る。言い換えると、歯のピッチは留め具の軸方向で変動することができる。
【００３８】
ここでの例の各々では、図２−８の例に示されるように、第一および第二のサイド部分は同じ数の歯を有する。加えて、各サイド部分は、もう1つのサイド部分上の歯と同じ軸方向の高さまたは位置に歯を有する。サイド部分はこれらの例では、図６に表されているセクションを形成している平面のような、垂直の、前から後ろへの平面について、お互いの鏡像である。留め具スタッドはその平面について対称的である。もう1つのサイド部分上の歯に対応する各歯は、歯のペアを形成する。各歯のペアは、ポスト上の同じ軸方向位置に保持表面１４２を有し、本例では、歯のペア中の保持表面１４２は、もう１つの歯のペア中の保持表面と平行な平面中に入る。加えて、全ての保持表面は、それらのそれぞれの垂直表面１４６から実質的に同じ距離だけ伸長し、角度付き表面の全ては、その他のものの角度と同じ角度を垂直表面１４６に対して形成する。加えて、第一および第二のサイドはお互いから間隔を空けられているので、歯のペアの直接間の空間には歯は無く、従って保持表面１４２も無い。同様に、それぞれの歯のセットについてのサポート部分の直接間に伸長しているサポート材料は無い。開示された例では、ブリッジ部分１３４と平面状部分１１０は、第一および第二のサイドとそれらのそれぞれの歯の間の唯一の固い接続を形成する。加えて、図２−３３に示された例では、保持部材１０４はわずか２つの位置、即ち保持部材１０４を保持している各歯のペア、における平行な表面によって停止または保持され、ブリッジ部分１３４は保持部材１０４との第三の接触ポイントまたはエリアとしての役目を果たす。
【００３９】
図２−８の例におけるポストは、横断面において実質的にＵ字形状のプロファイルを有する。しかしながら、その他のプロファイルが使われることもできる。ポストの外側表面は、第一および第二のサイドの間で実質的に滑らかである。
【００４０】
ここに説明された留め具スタッドの各々は、留め具アッセンブリを形成するように図２中の保持部材１０４のような絶縁ブランケット保持部材と組み合わされることができる。留め具アッセンブリとしては、留め具アッセンブリは留め具スタッドと保持部材１０４のような保持部材を含むであろう。保持部材は、平面状かまたは非平面状であっても良く、円形、三角形、長方形、五角形、六角形およびその他の均一または非均一なプロファイルを含んだ多数の外側プロファイルを有していても良い。保持部材は、実質的に平坦であることができ、または平坦以外の保持部材を作る突起、突状、伸長またはその他の構造を有していても良い。ここに記載される本例では、与えられた留め具スタッドは、ここに記載される保持部材１０４（図９−１３）を使用する。しかしながら、ここに記載される留め具スタッドのいずれもは、ここに記載されたもの以外の保持部材と共に使用されることができ、ここに記載された保持部材１０４は、留め具アッセンブリのためのここに記載されたもの以外の多数のその他の留め具スタッドと共に使用されることができることは理解されるべきである。
【００４１】
保持部材１０４（図２および９−１３）は、留め具スタッドと協同して留め具アッセンブリの周りのあるべき場所に絶縁ブランケットを保持するように構成された部材である。保持部材１０４は、保持部材の表面エリアの大きなパーセントに渡って実質的に平坦である。表面不規則性の第一のセットは、中心の外側だが保持部材の周縁の内側で保持部材中に形成された複数のディンプルまたはその他の突状によって形成される。第二の表面不規則性は、保持部材の周縁の周りの鋭いエッジ部分を削減または排除するように保持部材の周縁において形成される。ここに記載された表面不規則性のどちらかまたは両方は省略されることもできるが、もし望ましければ各々は恩恵を提供することができる。
【００４２】
本例における保持部材１０４は、外側プロファイルにおいては実質的に円形である。本例における保持部材１０４は、ディスクの形を取り、比較的薄い金属薄板から形成されても良い。ディスクの直径と厚さおよびディスクの材料は、それと共にディスクが使われることになるところの絶縁ブランケットを信頼性を持って保持するのに十分となるべく選択される。ここでの説明を考察した後に当業者によって理解されるであろうように、保持部材は、円形、平坦およびその他のここに例として説明された構成以外の構成を含んだ、その他の構成を取ることもできる。ここに説明された様々な例はディスクをそのような構造として含み、それは例として使われている留め具配置では非常に一般的である。
【００４３】
保持部材１０４は、留め具スタッドのポストがその内に受け取られるところの開口部２０２を規定している壁２００を含む。壁２００は、ディスクの中心から外向きに伸長している、複数の放射状に伸長しているカットまたは溝２０４を含む。各溝２０４は、実質的に円形の開口部２０６で終端し、溝２０４の各々についての応力解放点を形成している。保持部材１０４の例では、ディスク中に４つの溝が、２つのペアで、各ペアが直径上にあって、２つの直径がお互いに直角であるように形成されている。隣接する溝は、それらの間に柔軟なエッジ部分２０８を規定する。溝２０４は、ディスクがポスト部材１０８の歯の上を通過させられた時にエッジ部分２０８が柔軟に曲がることができるように、開口部２０２を取り囲む柔軟なエッジ部分２０８についての柔軟性の措置を提供する。保持部材の厚さと、それが形成されるところの材料と、溝２０４の長さは、エッジ部部２０８の柔軟性に影響を与える。
【００４４】
ディスクは、開口部２０２から本ケースでは円周エッジである周縁エッジ２１２まで外向きに伸長している本体またはコア２１０を含む。コアは、ディンプルの形の表面不規則性を除いて、均一な厚さを持った実質的に平面状である。本例では、コアは約０．２５ｍｍの厚さである。
【００４５】
図２、９−１３および１９に示された例では、ディスクのコアは、本ケースでは複数の突状２１４を含み、各々がコア中の表面不規則性を行っている。本例では、突状は中心よりもディスクの外側周縁により近くに位置させられ、ディスクのそれぞれの半径上に位置させられている。図面に示された例では、突状２１４は均等に分布し、本例ではそれらは溝２０４のそれぞれのものと同じ半径上に向けられている。配置は突状のペアを提供し、各ペアは他のペアのものと直角の直径上に配置されている。別の例（図示せず）では、突状のペアは、その上に溝２０４が置かれているところ直径から４５°に向けられたそれぞれの直径上に配置される。図面に示された例ではまた、突状は、図１１および１２に見られるように、例えば第一の表面２１６から上向きで第二の表面２１８から離れるように、ディスクの平面から同じ方向に外向きに伸長する。突状は、例えば何らかの製造プロセス中や格納中等に、隣接するディスクを間隔を空けたままに維持するのを助ける。
【００４６】
別の例（図示せず）では、複数の突状の場合の少なくとも１つの突状、例えば約半分の突状が、コアから１つの方向に面してコア中に形成され、その他の突状がコアから反対の方向に面する。コアから異なる方向に面している突状は、隣接するディスク上の突状または反対の方向にだけ面している隣接するディスク上の突状の入れ子の可能性を削減する。突状は、ディスクコアの表面からの部分的に球状の突起であっても良く、またはそれらはその他の構成を取っても良い。突状は、リッジおよび／または溝または谷、バンプ、ライン、ディンプルまたはその他のコア表面から伸長している表面不規則性であっても良い。各突状のコアの平面状表面からの高さは、コアの厚さプラス保持部材１０４に施されたあらゆる被覆（以下に記載される）の近似的な厚さよりも僅かに大きな量以上であっても良い。各突状の高さは、隣接するディスクのコアの平面状部分と隣接するディスクの圧延されたエッジが拡大された表面エリアに渡ってお互いに接触しないことを確かなものとし、それによりディスク上の乾いた被膜を通してのように隣接するディスクが一緒にひっつく可能性を削減すべく、選択されても良い。
【００４７】
保持部材１０４のディスクは、周縁不規則性２２０を含む。本例では、コアのエッジが、例えばコアの第二のサイド２１８まで、下に折り畳まれて折り畳まれたエッジ２２２を形成する。折り畳まれたエッジはディスクの周縁、円形の保持部材の例では円周エッジ、を形成する。本例における折り畳まれたエッジ２２２は、断面プロファイルにおいて実質的に半円形に丸められたエッジを形成し、それは保持部材ディスクの周縁の周り全部に伸長する。丸められたエッジは、鋭いエッジの発生を削減して、扱いを向上する。コアの折り畳まれたエッジは、ディスクの第二のサイド２１８の下で相当な放射状距離を伸長し、それはまたディスクに追加の強度を提供する。図１３に示されるように、コアの露出されたエッジ２２４は、折り畳まれたエッジ２２２と突状２１４の最も外側のエッジを含んだ円の間の距離の半分より多く放射状に内向きに伸長する。
【００４８】
保持部材１０４は、図１４の２２６においてのように円形ディスクを切断することによって形成される。圧延されたエッジは、まずディスク２２６の外側周縁における環状リング２２８を、例えば下向きに９０°、円２３０によって表された曲げラインにおいて曲げることによって形成される。曲げられた環状リング２２８はそれから、図１３に示されるように、ディスクと隣接する第二のサイド２１８の下で伸長するように縁取りされる。コアの露出されたエッジ２２４はここで内向きに伸長する。ディスクの中心における開口部２０２と溝２０４がディスクの中心から切断または穴抜きされ、第一の複数の突状が第一のサイド２１６を越えて形成され、第二の複数の突状が第二のサイド２１８を越えて形成される。処理ステップの順番は望ましい通りに選択されても良い。後続のステップでは、バッチ処理で複数のディスクが、好適な被膜で被覆されても良い。突状２１４は、その上に渡って隣接するディスクが接触しているところの連続した表面エリアの量を削減するのを助ける。それらは、隣接するディスクが一緒にひっつくようになる可能性を削減するのを助ける。ディスクは、例えばＣＲＥＳ３０４およびＡｌ２０２４を含んだ既知の金属から形成されても良い。施される被膜は、カドミウムまたはアルミニウム被膜、または非金属性被膜、例えばナイロンまたはその他のポリマー被膜または塗膜であっても良い。
【００４９】
サポート構造上にクリップされ得るもの（図１５−１８）のような留め具スタッドの別の例では、留め具スタッド３００は、ブリッジ部分１３４によって接続されてサポートされた、それぞれ第一および第二のサイドウォール１３０および１３２を有するポスト部材１０８を含む。ポスト部材はまた、第一および第二のサイドウォールの各々の上に複数の保持表面１４０を含む。ポスト部材１０８は、図２−８について記載されたポスト部材１０８とその構造および機能と同じ構造および機能を有し、その記載はここに引用によって組み込まれる。
【００５０】
留め具スタッド３００は、ポスト部材をその下に横たわるサポート構造上にサポートするためのサポート部材３０２を含む。サポート部材３０２は、ポスト部材をそれと実質的に直角にサポートしている実質的に平面状のパネル３０４を含む。平面状パネル３０４は、ポスト１０８の周りのサポートウィングのそれぞれのサイド上にひずみ解放溝３０６を含む。平面状パネル３０４は、それぞれ左および右彎曲部分３０８および３１０まで外向きに伸長し、それらはサポート部材３０２の前から後ろまで伸長している対応する左および右角度付きプレート３１２および３１４への遷移を提供する。角度付きプレート３１２および３１４は、留め具スタッドをその下に横たわるサポート構造上のあるべき場所に保持するのを助けるように、その下に横たわるサポート構造に圧力を印加するためのバイアスプレートを提供する。角度付きプレート３１２および３１４はそれから、それぞれの傾斜プレート３１６および３１８まで外向きに彎曲する。傾斜プレートは、対応するサポート構造上に渡る留め具スタッドの配置をガイドするのを助ける。
【００５１】
留め具スタッド３００は、留め具スタッド１０２と同じ材料から、同様のプロセスを使って形成されることができる。加えて、留め具スタッド３００は、留め具部材１０２について記載されたものと同様のやり方で、保持部材１０４を持った留め具アッセンブリにおいて使われることができる。留め具スタッド３００はまた、その他の保持部材と共に使われることもできる。
【００５２】
留め具アッセンブリの別の例では、留め具アッセンブリ４００（図１９−３０）は、通し留め具スタッド４０２と、サポートアッセンブリ４０４と、ここに説明された保持部材と同一または同様の、実質的に反対側に配置された保持部材１０４を含む。留め具スタッド４０２は、図２−８の留め具スタッド１０２上のポスト１０８と実質的に同一の、ポスト部材４０６および４０８を含む。ポスト部材４０６および４０８は、それぞれのブリッジ部分１３４によって接続されてサポートされた、それぞれ第一および第二のサイドウォール１３０および１３２を含む。ポスト部材はまた、第一および第二のサイドウォールの各々上のそれぞれ複数の保持表面１４０を含む。ポスト部材４０６および４０８は、図２−８について記載されたポスト部材１０８とその構造および機能と同じ構造および機能を有し、その記載はここに引用によって組み込まれる。
【００５３】
通し留め具スタッド４０２は更に、留め具スタッド４０６および４０８と一体に形成されたサポートインターフェース４１０を含み、ポスト部材４０６および４０８上のブリッジ部材１３４と共に伸長したブリッジ部材４１２（図２１）を含む。サポートインターフェース４１０はまた、ブリッジ４１２によってサポートされたアーチ形ウィング４１４および４１６を含む。ブリッジ部材４１２とウィング４１４および４１６は、サポートインターフェース４１０についての部分的なまたは完全な円を形成する。
【００５４】
サポートインターフェース４１０は一方で、構造インターフェース、本例ではグロメット４１８（図１９および２５−３０）をサポートし、それらは一緒にサポートアッセンブリ４０４を形成する。サポートアッセンブリ４０４は、サポート構造に対してポスト部材４０６および４０８をサポートする。本例では、サポート構造はパネル４２０（図２９−３０）であり、それは構造的部材であっても良い。通し留め具スタッド４０２は、パネル中の開口部４２２を通して伸長し、一方で例えば絶縁ブランケットをサポートする。本例におけるサポートアッセンブリ４０４は、ここに記載されるグロメット４１８を含むが、パネル中の開口部４２２のような開口部内にポストをサポートするのにその他の構造が使われても良い。
【００５５】
グロメット４１８は、比較的柔軟な、部分的に円筒形の部材である。それは、グロメットの軸方向長全体に沿った軸方向に伸長しているカットまたは溝４２６を持った実質的に円筒形の本体４２４を有する。カットは、グロメットが部分的にだけ円筒形の本体であるように、それぞれ第一および第二の対向するサイド４２８および４３０（図２７）を、グロメット中に作成する。内部表面４３２は一端では、実質的に円滑で軸方向に伸長していて、内部表面から第一の外側リング表面４３６まで外向きに放射状に伸長している実質的に円筒形のリング４３４において終端する。円筒形のリング４３４は、グロメットの１つの軸方向端を形成している第一の端面４３８を規定する。
【００５６】
内部表面４３２は第二の端では、第二の端面４４０において終端し、それはまた第二の円筒形のリング部分４４４までグロメットに沿って軸方向に伸長している円錐台セクション４４２の端部を形成する。第二の円筒形のリング部分４４４は、グロメットをパネル開口部中にガイドするのを助ける。第一および第二の円筒形のリング４３４および４４４は、グロメットの外側境界を放射状方向に規定し、リングはグロメットの本体の周りに伸長している中間溝エリア４４６の外側境界を軸方向に規定する。溝エリアは、複数のフィンのリング４４８を含む。
【００５７】
フィンはその内にグロメットが置かれるところのパネルに対して柔軟である。本例では、各リングは複数のフィンを含み、与えられたリング内のフィンの各々は、お互いに対して同じ軸方向位置に位置させられている。与えられたリング内のフィンの各々は、リング中のフィンがお互いから間隔を空けられているように、軸方向に伸長している溝またはギャップによって同じリング中の隣接するフィンから分離されている。フィンの各々の外側寸法は、グロメットの外側直径と実質的に同じであり、各フィンの断面プロファイルは、本例では、実質的に直角三角形である。グロメットの外側直径がおよそ０．３７４０インチである一つの例では、溝の底からのフィンの高さは、約０．０３１１インチであることができ、三角形の斜面または斜辺は約０．０３２６インチであることができ、三角形の底辺は約０．０１００インチまたは同様の比である。本例では、溝エリアの深さは０．０３１１インチであり、およそ０．３１２０インチのグロメット全体の軸方向長について溝の軸方向長は約０．１７２０インチである。グロメット長と内部直径は、サポートインターフェース４１０上に渡っておよびスタッドポストの隣接する端部間にぴったりとしたフィットを提供して、グロメットと通しスタッドの間に比較的僅かな軸方向の動きを許容すべく選択される。同様の比を有するグロメットのためのその他の寸法も使われることができる。本例ではまた、各リングは８個のフィンを有するが、与えられたリング中にその他の数のフィンが使われることもでき、それらは、例えばギャップ４２６への近さの関数として、全て同じかまたは異なるサイズのものであることができる。
【００５８】
図２５−３０に示されたグロメットの例では、グロメットは、フィンの傾けられたまたは斜めの面が第一の円筒形のリング４３４に面している第一のリング４５０を含む。グロメットは３つの追加のリング４５２を含み、その各々は、第一のリング４５０中フィンの斜めの面が面している方向とは反対に、第二の円筒形のリング４４４に面しているフィンの斜めの面を持つ。加えて、フィンの第一のリング４５０は、リング４５２がお互いから間隔を空けられているよりも更にその他のリング４５２から間隔を空けられている。この間隔は、パネル４２０の幅を受け取るための比較的大きな環状溝４５４を提供する。この間隔４５４は、パネルの幅と近似的に同じとなるように選ばれている。第一のリング４５０は、留め具アッセンブリのより確かな位置付けを提供するようにパネルに対してグロメットをバイアスするのを助けるように構成されていても良い。追加のリング４５２はまたパネルをバイアスするようにだが、同じグロメットが溝４５４にフィットすることが意図されているよりも分厚い多数のパネル上で使われることを許容するためにも、提供されている。グロメット構成はそれによって、単一のグロメットが異なる厚さのパネルと共に使われることを許容する。例えば、フィンのリングのサイズ、数および間隔は、インチの１／１６のインクリメントまたはその他のインクリメントで、例えば期待されたパネルの厚さの変動の関数として、パネルの厚さの変動を収容するように構成されることができる。一つの例では、フィンのリングは、パネルに接触しているフィンのリングがパネルをパネルの反対側上のフィンのリングに向けてバイアスするように、与えられたリング中のフィンの平坦なサイドがパネルの厚みによってパネルから離れるように僅かに柔軟に曲がるように、間隔を空けられることができる。別の例では、リングは、図３０に示されるもののように、パネルの厚みがパネル表面の外側に入るフィンリングの間隔よりも僅かに少ないように、間隔を空けられることができる。
【００５９】
グロメットは、ナイロンのような比較的柔らかくて柔軟な弾性的材料から作られても良い。グロメットは、内部プロファイルについておよび／または外部プロファイルについて、円筒形以外のその他の構成を有することができる。プロファイルの一方または両方は、通しスタッドに対するグロメットおよび／またはパネルに対するグロメットについての望ましい向き付けを要求するのに使われても良い。グロメットは、通しスタッドのサポートインターフェース４１０上にぱちんと嵌められることができ、例えばメインテナンスのための除去の後に望ましければ再使用されることもできる。
【００６０】
ここに記載された留め具スタッドのいずれもは、金属薄板のブランクカットから形成され、望ましい最終構成に形成されることができる。それらは、鋼合金、アルミニウム、ステンレス鋼、チタニウムおよびその他の好適な金属を含んだ既知の金属材料から形成されることができる。形成は、ワンショット形成および順送り型を含んだ多数の方法によることができる。金属は、焼入れまたは硬化等を含んだ既知の方法による形成の前および後に処理されることができる。最終製品はまた、タンブルされたり、被覆されたり、平滑化されたり、研磨されたりあるいはそうされなかったりされることができる。留め具スタッド１０２は、ポスト部材がサポート平面から離れるように曲げられそれからＵ字形状に巻かれている、図３１に示される１０２Ａと同様のカットブランクから始めることができる。留め具スタッド３００は、ポストがサポートクリップに直角に曲げられてＵチャネルに形成され、サポートクリップが図１５−１８に示される形に曲げられている、図３２に示される３００Ａと同様のカットブランクから始めることができる。通しスタッド４０２は、ブランク全体がＵチャネルに巻かれ、ウィング４１４および４１６が円形のプロファイルを形成するように更に曲げられている、図３３の４０２Ａと同様のカットブランクから始めることができる。部材の様々な寸法が望まれる通りに選択されることができるが、図３１−３３に示されたポスト中の垂直壁１４６についての軸方向の長さは約０．０３０インチ（０．７６２ｍｍまたはおよそ保持部材１０４のコアの厚さの３倍）である一方、図２−２３に示された長さはおよそ０．１インチであることに注意されたい。図３１−３３に示された例では、保持部材１０４のコアの厚さは、ポスト上の隣接する歯の間の間隔のおよそ３３％であろう。与えられた図中のラインまたは部材の相対的寸法は同じ図中では実寸通りであるが、２つの異なる図の間のような図面は全て同じ寸法ではないことに注意すべきである。
【００６１】
留め具スタッドの別の例（図３４−４２）では、留め具スタッド５００は、その各々がここに記載されたその他の留め具スタッドで使われることができる特徴を有する、サポート部分５０２と伸長部分５０４を含む。例えば、伸長部分５０４は、その他の例における留め具スタッド中のポストのいずれかとして使われることができる。加えて、サポート部分５０２は、平面状サポートパネル５０８と伸長部分５０４の間に、立ち上がりサポート５０６を含み、それは留め具スタッド１０２中に組み込まれることができる。
【００６２】
留め具スタッド５００は、伸長部５０４を、本例では平面状パネル５０８に対して、直角にサポートしている実質的に平面状のパネル５０８を有し、立ち上がりサポート５０６のそれぞれのサイド上にひずみ解放溝５１０を含む。立ち上がりサポート５０６は、伸長部５０４をサポートするように平面状パネル５０８から上向きに伸長している材料（本例では金属薄板）の実質的にＵ字形状のプロファイルである。ひずみ解放開口部（図３４−３５、３７および４２）がまた、対応するひずみ解放溝５１０の端部において立ち上がりサポート５０６の一部に形成されても良い。
【００６３】
平面状パネル５０８は、それぞれ左および右彎曲部分５１２および５１４まで外向きに伸長し、それらはサポート部材５０２の前から後ろに伸長しているそれぞれ対応する左および右角度プレート５１６および５１８（図３６）への遷移を提供する。角度プレート５１６および５１８はそれから、それぞれ傾斜プレート５２０よび５２２まで外向きに彎曲する。平面状パネル５０８は、図３９−４０の平面図に見ることができるような平面図において、メイン中央部分と、立ち上がりサポート５０６から前方にそれぞれ左および右彎曲部分５１２および５１４まで掃引している掃引ウィング５０８Ａおよび５０８Ｂをもったプロファイルを有する。掃引ウィング５０８ＡおよびＢは、平面状パネル５０８の角度付き前および後ろエッジによって部分的に規定される。掃引ウィングの実際の開始および終了点は、ブランクの切断とどのように部分が最終構成に形成されるかの関数として変動しても良い。サポートのプロファイルは、荷重をその下に横たわるサポート構造に渡ってより均等に分布させることによって期待された荷重の下での留め具をサポートするのを助ける。
【００６４】
留め具スタッドの伸長部分５０４は、サポート部分５０２と一体に形成される。伸長部分５０４は、パネル５０８に直角な実質的に直線状のポスト５２４として形成される。ポスト５２４は、曲げまたは形成プロセス中に形成された彎曲部分５２６（図３５および３８）を通して立ち上がり部分５０６に接合し、それから、それぞれ第一および第二の、または図３６に見られるように左および右の、サイド部分５２８および５３０をもってパネル５０８の平面に実質的に直角に伸長する。サイド部分は、彎曲部分５２６によって下から、およびブリッジまたは接続部分５３２によって図３９で上から見られるように後ろから、サポートされる。ブリッジ部分は、彎曲部分５２６によって下からサポートされ、本例ではポスト５２４の軸方向長の相当な部分の上に渡って実質的に半円形に彎曲されている。半円形のブリッジ形状は、例えば曲げ、サイド（例えば伸長部５０４に直角の）衝撃等に対する強度を伸長部５０４に提供するのを助ける。ブリッジ形状は、その他の構成を有することもできるが、上でより詳しく記載されたように、半円形の外側表面形状を有することは保持部材１０４をその対応する円形開口部を通してガイドすることを助ける。
【００６５】
ポスト５２４は、ポストの端部を形成している実質的に平坦な端部表面５３４を含み、ブリッジおよびポストの残りの壁の厚さは、内部表面から外部表面まで、それと垂直に測定された時に、実質的に一定である。ブリッジ部分の端部は、平坦な端部表面５３４と傾斜表面５３６の始まりの間の遷移で始まり得るように、第一および第二のサイドのサポート部分へ遷移し、サポート部分は歯５３８の始まりにおいて終わると考えられても良い。本例では、第一および第二のサイドは、保持部材１０４をポスト５２４上のあるべき場所に保持することを助けるための複数の保持表面５４０を含む。保持表面５４０の構造は保持表面１４０と実質的に同じであり、比較的平坦で、下向きに面している表面５４２を含む。表面１４２でのように、表面５４２は平面状パネル５０８と実質的に平行になるように選択され、それはまた保持部材１０４の平面に実質的に平行であり、それは一方で留め具アッセンブリによってあるべき場所に保持されている絶縁ブランケットに全体的に平行であっても良い。保持部材１０４をポスト５２４上のあるべき場所に適切に保持するのを助けるために、その他の保持表面構成が使われることができる。保持表面５４０は、保持部材１０４の引き出しを禁じるためのフランジ部材、取っ手またはその他の突起として形成されることができる。
【００６６】
保持表面５４０は、多角形状の歯５３８（図３８）の部分として形成される。保持表面５４０は、垂直表面５４４に直角に伸長しポストの中心軸に実質的に平行に伸長しているサイドを有する多角形の一部分を形成する。望ましければ、多角形はまた、三角形またはその他の形状として成形されることもできる。保持表面５４０と垂直平面５４４の継続が直角と多角形の２つのサイドを形成し、軸方向に伸長している表面５４６と斜めのまたは角度付きの表面５４８が隣接する垂直表面５４４から隣接する表面５４６まで外向きに下向きに伸長している。表面５４６および５４８は、それぞれの保持表面とポストの残りの間の傾いた表面、斜面、傾斜表面、カム表面または別の遷移表面であることができる。図３４−４４の例では、表面５４６は、保持表面５４２において終端し、丸み付きコーナーを含んでいても良い。角度付き表面５４８は、平面状部材５０８に向けてポストに沿って軸方向に保持部材１０４をガイドすることを助ける。歯５３８の材料は、第一および第二のサイドウォールのそれぞれのサポート部分上の保持表面５４２のための構造的サポートを提供する。歯の厚さは、その下に横たわるサポート構造とブリッジ部分の厚さと同じになるように選択される。
【００６７】
歯は、例えば全てが同じ材料のシートから形成され留め具スタッドがモノリシックであるので、歯と連続しブリッジ５２４と連続したその下に横たわるサポート構造上にサポートされる。ここに記載された通り以外では、ポスト５２４は図２−８について記載されたポスト１０８と同じ構造と機能を有する。上部角度付き表面５３０は、平坦な上部表面５３４で始まり、それぞれの先頭の歯５３８の始まりで終わる。上部角度付き表面５３０は、一旦保持部材１０４がポストの端部上に渡って置かれると、保持部材１０４をポストに沿ってガイドするのを助ける。
【００６８】
各歯５３８は、垂直表面５４４のそれぞれの部分によって隣接する歯から間隔を空けられている。本例における垂直表面５４４の各々は、垂直に隣接する歯が近似的に同じ距離でお互いから間隔を空けられるように、実質的に等しい長さを有する。各垂直表面５４４の垂直長は、保持部材がポストの周りに伸長する点において保持部材１０４の厚さよりも大きくなるように選択される。保持部材の厚さがおよそ０．２５ｍｍである一つの例では、与えられた垂直表面５４４の高さはおよそ０．７６８ｍｍであっても良い。その他の相対的寸法が使われることもできる。
【００６９】
ここでの例の各々では、図３４−４２の例に示されるように、第一および第二のサイド部分は同じ数の歯を有する。加えて、各サイド部分は、もう1つのサイド部分上の歯と同じ軸方向の高さまたは位置に歯を有する。サイド部分はこの例では、図３７に表されているセクションを形成している平面のような、垂直の、前から後ろへの平面について、お互いの鏡像である。留め具スタッドはその平面について対称的である。もう1つのサイド部分上の歯に対応する各歯は、歯のペアを形成する。それぞれのサイド部分上の各歯のペアは、ポスト上の同じ軸方向位置に保持表面５４２を有し、本例では、サイド部分上の歯のペア中の保持表面５４２は、もう１つの歯のペア中の保持表面と平行な平面５５０（図３５）中に入る。加えて、全てのサイド部分の保持表面は、それらのそれぞれの垂直表面５４４から実質的に同じ距離だけ伸長し、角度付き表面の全ては、その他のものの角度と同じ角度を垂直表面５４４に対して形成する。加えて、第一および第二のサイドはお互いから間隔を空けられているので、歯のペアの直接間の空間には歯は無く、従って保持表面５４２も無い。同様に、それぞれの歯のセットについてのサポート部分の直接間に伸長しているサポート材料は無い。図３４−４６の開示された例では、ブリッジ部分５２４と立ち上がり部分５０６は、第一および第二のサイドとそれらのそれぞれの歯の間の唯一の固い接続を形成する。しかしながら、図３４−４６に示された例では、保持部材１０４は、３つ以上の位置、即ち以下に記載される保持部材１０４を保持する各歯のペアおよびブリッジ部分上の少なくとも１つ追加の保持部材、における平行な表面によって停止または保持される。ブリッジ部分はまた、半円形表面の範囲まで保持部材についての接触エリアとしての役目も果たす。
【００７０】
図３４−４６の例におけるポストは、ブリッジ部分上の（または、もし望ましければ、ポスト上のどこかほかに追加され得るような）追加の保持部材を除いて、横断面において実質的にＵ字形状のプロファイルを有する。図３４−４６に示された例では、歯５５２のような追加のディスク保持構造が、ブリッジ部分に、図３４−４６の本例ではポスト上の同じ軸方向位置における対応する歯のペア中のその他の歯の各々の平面に、形成される。これらの例では、各歯５５２は、平面５５０と平行に伸長している保持表面５５４を含む。保持表面５５４は、歯５５２を形成しているサポート構造５５６によってサポートされる。歯５５２はまた、斜めのまたは傾いた表面５５８を含み、保持部材１０４をガイドするのを助ける。Ｕ字形状のポスト上に配置された、与えられた平面５５０中の３つの歯とそれらの保持表面があると、保持表面はお互いから約１２０°離されて位置させられ、保持部材１０４のための比較的バランスの取れたサポートを提供する。各歯５５２は、歯を形成するように金属薄板の平面から穴抜きまたは切断されてプレスされても良い。
【００７１】
留め具スタッド６００の別の例（図４３−４４）では、留め具スタッドは、平面状サポート部分６０２と、図３４−４２について上述したポスト５０４と実質的に同一の、垂直に向けられたポスト５０４をサポートしている立ち上がりサポート部分６０４を含む。ポスト５０４は、図３４−４２における同じポストについて記載された全ての構造および機能を含み、図２−８について記載された留め具スタッド１０２と同様のやり方で使われても良い。
【００７２】
通し留め具スタッド７００の別の例（図４５−４６）では、留め具スタッド７００は、サポートアッセンブリと、図３４−４２について記載されたポスト５０４と実質的に同一の、実質的に反対側に配置されたポスト５０４Ａおよび５０４Ｂを含む。ポスト５０４Ａおよび５０４Ｂはまた、上述したサポートインターフェース４１０と実質的に同一の、サポートインターフェース４１０を含む。留め具スタッド７００は、図１９−３０について記載された留め具スタッド４０２と同様のやり方で使われても良い。
【００７３】
留め具スタッドの別の例では、留め具スタッドは、図４７に示された構成で打抜きされているブランク８００（図４７）から形成される。留め具スタッドは、平面状サポート部分８０２と、図３４−４２の留め具スタッド中のものと同様の立ち上がりサポート部分を形成し、垂直に向けられたポスト８０６をサポートするエリア８０４を含む。一旦ポストが形成されると、ポスト８０６は図２−８について記載された留め具スタッド１０２と同様のやり方で使われても良い。本例におけるポスト８０６のためのポスト構造は、ポスト８０６を形成する材料の軸に沿って伸長している複数の開口部８０８を含む。本例では、開口部８０８は、留め具部材を保持するために使われる保持部材、例えばここに記載されたディスク、のための唯一の構造を形成する。開口部８０８は、開口部が所望の構成を有するようにポストブランクから材料を打抜きするかまたは穴抜きすることによって形成される。本例では、軸方向に揃えられた開口部の各々は、直線状の、実質的に横向きに向けられた壁８１０を有する。各壁８１０は、留め具スタッドがその最終的構成を取るときにサポート部分８０２の一部の方向に全体的に面する。開口部８０８はまた、彎曲した壁８１２を含む。本例では、彎曲した壁８１２は、図４７に見られるような平面図中の実質的に放物線状のプロファイルを有する。望まれる通りにその他のプロファイルが使われることもできる。直線状の壁８１０は、ディスクのような保持部材を保持するのを助け、彎曲した壁８１２は、保持部材を位置させるのを助ける。ブランクはそれから、留め具スタッドのためのその最終形、例えば図３４−４４に示されるもの、に成形される。
【００７４】
留め具スタッド８５０の別の例（図４８−４９）では、留め具スタッドは、平面状サポート部分８５２と、垂直に向けられたポスト８５６をサポートしている立ち上がりサポート部分８５４を含む。ポスト８５６は、図３４−４２について記載された保持部材５４０と実質的に同じ構造および機能を有し、更に保持部材８６０を含む。保持部材８６０は、本例では、例えば図４７について記載された開口部８０８と実質的に同じ開口部を穴抜きするかまたは打抜きすることによって、ポストのブリッジ部分上に形成される。一旦打抜きされた後のポスト材料が図４８−４９に示されるようなポスト８５６に形成されると、各開口部は、図４７について記載された壁８１０と同様に、実質的に横向きに向けられた壁８６２と、図４７について記載された壁８１２と同様に、彎曲した壁８６４を有する。留め具スタッド８５０は、図２−８について記載された留め具スタッド１０２および図４３−４４について記載された留め具スタッド６００と同様のやり方で使われても良い。
【００７５】
通し留め具スタッド９００の別の例（図５０−５２）では、留め具スタッド９００は、サポートアッセンブリと、ここに記載される彎曲した開口部９０６を除いて図３４−４２と４５−４６について記載されたポスト５０４と実質的に同一の、実質的に反対側に配置されたポスト９０２および９０４を含む。本例における彎曲した開口部９０６は、図４７−４９について記載された開口部８０８および８６０と実質的に同一である。彎曲した開口部９０６は、実質的に横向きに向けられた壁９０８と、彎曲した壁９１０を含む。直線状の壁は、ディスクのような保持部材を保持するのを助け、彎曲した壁は、保持部材を位置させるのを助ける。留め具は、そうでなけれは通し留め具スタッドについて前に記載されたもののようなやり方での使用のために使われ、設置され、サポートされる。
【００７６】
よっていくつかの例示的実装を記載してきたが、ここに説明された概念から逸脱すること無しに様々な変更および変形を行うことができることは明らかである。そのような変更および変形は、明示的に上述はされていないが、それにも拘らず発明の精神と範囲内であることが意図され示唆されている。従って、前述の記載は描写的であることだけが意図されている。
【図１】
0005635002.tif 000002
【図２】
0005635002.tif 000003
【図３】
0005635002.tif 000004
【図４】
0005635002.tif 000005
【図５】
0005635002.tif 000006
【図６】
0005635002.tif 000007
【図７】
0005635002.tif 000008
【図８】
0005635002.tif 000009
【図９】
0005635002.tif 000010
【図１０】
0005635002.tif 000011
【図１１】
0005635002.tif 000012
【図１２】
0005635002.tif 000013
【図１３】
0005635002.tif 000014
【図１４】
0005635002.tif 000015
【図１５】
0005635002.tif 000016
【図１６】
0005635002.tif 000017
【図１７】
0005635002.tif 000018
【図１８】
0005635002.tif 000019
【図１９】
0005635002.tif 000020
【図２０】
0005635002.tif 000021
【図２１】
0005635002.tif 000022
【図２２】
0005635002.tif 000023
【図２３】
0005635002.tif 000024
【図２４】
0005635002.tif 000025
【図２５】
0005635002.tif 000026
【図２６】
0005635002.tif 000027
【図２７】
0005635002.tif 000028
【図２８】
0005635002.tif 000029
【図２９】
0005635002.tif 000030
【図３０】
0005635002.tif 000031
【図３１】
0005635002.tif 000032
【図３２】
0005635002.tif 000033
【図３３】
0005635002.tif 000034
【図３４】
0005635002.tif 000035
【図３５】
0005635002.tif 000036
【図３６】
0005635002.tif 000037
【図３７】
0005635002.tif 000038
【図３８】
0005635002.tif 000039
【図３９】
0005635002.tif 000040
【図４０】
0005635002.tif 000041
【図４１】
0005635002.tif 000042
【図４２】
0005635002.tif 000043
【図４３】
0005635002.tif 000044
【図４４】
0005635002.tif 000045
【図４５】
0005635002.tif 000046
【図４６】
0005635002.tif 000047
【図４７】
0005635002.tif 000048
【図４８】
0005635002.tif 000049
【図４９】
0005635002.tif 000050
【図５０】
0005635002.tif 000051
【図５１】
0005635002.tif 000052
【図５２】
0005635002.tif 000053